(57)【要約】尿バッグ支持体（１４）と該支持体に固定されたハンドル（１２）とを備えている把持装置あって、該支持体は、尿バッグ（６０）を第１及び第２の開位置に保つようにそれぞれ構成された第１及び第２のスペーサ（３２ａ；３２ｂ）を備えていることを特徴とする、上記把持装置。【選択図】図４ａ
2021522041.tif 000002
【特許請求の範囲】
【請求項１】
尿バッグ（６０）と、
尿バッグ支持体（１４）と該支持体に固定されたハンドル（１２）とを備えているホルダ装置と
を備えている尿装置であって、
該支持体は、尿バッグ（６０）を第１及び第２の開位置に保つようにそれぞれ構成された第１及び第２のスペーサ（３２ａ；３２ｂ）を備えており、該第１及び第２の開位置において該バッグは第１及び第２の異なる向き（Ｄａ；Ｄｂ）にそれぞれ開口し、該第１及び第２のスペーサ（３２ａ；３２ｂ）の各々が、使用中に患者の皮膚を押すように構成された押さえフランジ（３８ａ；３８ｂ）を有し、上記押さえフランジが０．５ｃｍよりも大きな幅を有することを特徴とする、前記尿装置。
【請求項２】
各押さえフランジが、０．８ｃｍよりも大きな幅を有する、請求項１に記載の尿装置。
【請求項３】
各押さえフランジが、実質的に平らである、請求項１又は２に記載の尿装置。
【請求項４】
各押さえフランジが、少なくとも１つの中断ゾーン（４６）によって中断される、請求項１〜３のいずれか１項に記載の尿装置。
【請求項５】
該第１及び第２の向き（Ｄａ；Ｄｂ）が、反対方向であり、好ましくは共線的な方向である、請求項１〜４のいずれか１項に記載の尿装置。
【請求項６】
該ホルダ装置が、上記バッグの内部体積を外部環境から隔離するように、上記バッグが該第１及び第２のスペーサ（３２ａ；３２ｂ）のうちのいずれか１つに固定されている間に上記バッグが収斂されることを可能とするように設計されたフック（５０）を備えている、請求項１〜５のいずれか１項に記載の尿装置。
【請求項７】
該ホルダ装置が、上記バッグを閉じる為の閉じ紐を強制挿入によって固着する為のスロット（３０）を備えている、請求項１〜６のいずれか１項に記載の尿装置。
【請求項８】
少なくとも１つの押さえフランジ（３８ａ）が、該支持体の横断正中面（Ｐｔ）との間に、１０°よりも大きく且つ３０°よりも小さな角度（α）を形成する全体的な平面（Ｐａ）内に延在する開口（４０ａ）を画定する、請求項１〜７のいずれか１項に記載の尿装置。
【請求項９】
該ホルダ装置が、少なくとも１つの押さえフランジから１ｍｍよりも大きく且つ８ｍｍよりも小さな高さで突出する装着ラグ（５２ａ）を備えている、請求項１〜８のいずれか１項に記載の尿装置。
【請求項１０】
該支持体が、スリーブ（３６）の２つの端部の各々に１つの上記押さえフランジを具備する該スリーブ（３６）を備えている、請求項１〜９のいずれか１項に記載の尿装置。
【請求項１１】
該スリーブ（３６）が、台形状横断面を有する筒形状であり、該台形状横断面は、該ハンドルに対して反対方向に尖っている、請求項１０に記載の尿装置。
【請求項１２】
該ハンドル（１２）が、スティック（１６）と、該ハンドルを支持体（１４）に強固に接続するクロスピース（１８）とを備えており、該クロスピースは、該スティックを、該第１及び第２のスペーサ（３２ａ；３２ｂ）によってそれぞれ画定された第１（４０ａ）及び第２の開口の軸（Ｘ）から径方向に離間させるように設計され、該スティック（１６）と該支持体との間の最小距離は２ｃｍよりも大きい、請求項１〜１１のいずれか１項に記載の尿装置。
【請求項１３】
該ホルダ装置が、１ｃｍよりも大きな直径を呈する水平バー（Ｂ）から安定して吊るされることを可能とするように構成された少なくとも１つの窪み（２２ａ；２２ｂ）を該ハンドル（１２）が画定する、請求項１〜１２のいずれか１項に記載の尿装置。
【請求項１４】
該ハンドル（１２）が、近位部（１６ａ）及び遠位部（１６ｂ）で構成されたスティック（１６）と、スティック（１６）を支持体（１４）に強固に接続し、且つ該スティック（１６）の近位部（１６ａ）及び遠位部（１６ｂ）の間の接合部に接続されたクロスピース（１８）とを備えており、上記窪みは、一方で該クロスピースによって、及び該スティックの該近位及び遠位部によってそれぞれ形成される角部において作成される、請求項１３に記載の尿装置。
【請求項１５】
該スティックが、該クロスピースに垂直な平面との間に、１０°よりも大きな角度を形成する全体的な方向に延在する、請求項１４に記載の尿装置。
【請求項１６】
該ハンドル（１２）が、該支持体と一体的に形成される、請求項１〜１５のいずれか１項に記載の尿装置。
【請求項１７】
該ハンドル（１２）が、０．５ｃｍよりも大きな最小幅を呈する周辺フランジにより縁どりされたウェブで構成されている、請求項１〜１６のいずれか１項に記載の尿装置。
【請求項１８】
該第１及び第２のスペーサ（３２ａ；３２ｂ）の該押さえフランジが、該尿バッグ（６０）を該第１及び第２の開位置にそれぞれ弾性的に保持するように構成されている、請求項１〜１７のいずれか１項に記載の尿装置。
【請求項１９】
ホルダ装置のスペーサに取り外し可能に初めに固定され、上記スペーサによって開位置に保持された尿バッグを梱包する方法であって、該バッグの内部体積を外部環境から隔離するように該バッグが該ホルダ装置のノッチ（５０）内に収斂されるステップを含み、該バッグ及び該ホルダ装置が、請求項１〜１８のいずれか１項に記載の尿装置を形成している、前記方法。
【請求項２０】
該尿バッグがノッチ（５０）内に挿入されたとき、該尿バッグは上記スペーサによって該開位置に保持されたままである、請求項１９に記載の前記方法。
【請求項２１】
該ノッチに挿入される前に、該ノッチに挿入されるべき該バッグの部分は、それ自体が１回転よりも多く捻られる、請求項１９又は２０に記載の前記方法。
【請求項２２】
該ノッチに挿入された後、該ホルダ装置がベッドのバーから吊るされる、請求項１９〜２１のいずれか１項に記載の前記方法。
【発明の詳細な説明】
【技術分野】
【０００１】
本発明は、尿バッグを開位置に保持するように意図された且つこのバッグを取り扱うように意図されたホルダ装置に関する。本発明はまた、尿装置に尿バッグが固定される、本発明に従う該ホルダ装置を備えている尿装置にも関する。最後に、本発明は、使用後に該尿バッグを梱包する方法に関する。
【背景技術】
【０００２】
病院において、特定の患者は、排尿の為にトイレを使用することができない。それ故に、慣用的に、これらの患者は、扱い易いホルダ装置に開位置において前もって固定された液密な尿バッグ内に排尿する。そのようなホルダ装置は例えば、米国特許出願公開第２０１０／０３０５５２５号明細書において記載されており、且つ
該尿バッグを該開位置に保持するように設計された尿バッグ支持体と、
該支持体に固定されたハンドルと
を備えうる。
【０００３】
該患者が該バッグ内に排尿した後、介護者による回収を待つ間、該支持体はベッドのバーから吊るされることができる。次に、該介護者は、該バッグを該支持体から切り離し、次に、これを廃棄する。次に、該ホルダ装置は、新たな尿バッグをすぐに受け取る準備がある。
【発明の概要】
【発明が解決しようとする課題】
【０００４】
該ホルダ装置は、異なる体格の患者に適合する為に、できる限り多機能である必要がある。
【０００５】
その環境への影響はできる限り低くする必要がある。特には、その製造において使用される材料の量、及び産出される廃棄物の量が、最小化にされる必要がある。
【０００６】
該ホルダ装置はまた、病院内の保管スペースを制限する為に該ホルダ装置が効率的に保管されることができるように、嵩をできる限り低くする必要がある。
【０００７】
最後に、該ホルダ装置を製造する為に使用される方法は、できる限り単純で且つ迅速である必要がある。
【０００８】
これらの要件にできる限り良好に応える継続した必要性がある。
【０００９】
この必要性に、少なくとも部分的に応えることが本発明の目的である。
【課題を解決するための手段】
【００１０】
本発明は、尿バッグ支持体と、該支持体に固定された、好ましくは該支持体と一体的に形成された、ハンドルとを備えているホルダ装置を提案する。とりわけ、該支持体は、該尿バッグを第１及び第２の開位置に保つようにそれぞれ構成された第１及び第２のスペーサを備えており、該第１及び第２の開位置において該バッグは第１及び第２の異なる向きにそれぞれ開口する。
【００１１】
本記載の残りの部分においてより詳細に分かるように、該尿バッグを様々な様式によって方向付ける可能性が、該ホルダ装置を非常に多機能にする。
【００１２】
本発明に従うホルダ装置はまた、以下の任意的な特徴のうちの１以上を備えうる：
該第１及び第２の向きは、反対方向であり、好ましくは共線的な方向であること、
該ホルダ装置は、上記バッグの内部体積を外部環境から隔離するように、上記バッグが該第１及び第２のスペーサのうちのいずれか１つに固定されている間に上記バッグが収斂されることを可能とするように設計されたフックを備えていること、
該ホルダ装置は、上記バッグを閉じる為の閉じ紐を強制挿入によって固着する為のスロットを備えていること、
該第１及び第２のスペーサのうちの少なくとも１つは、使用中に患者の皮膚を押すように構成された押さえフランジを有し、上記押さえフランジは好ましくは実質的に平らであり、０．５ｃｍよりも大きな、好ましくは０．８ｃｍよりも大きな、及び／又は２ｃｍよりも小さな、好ましくは１．５ｃｍよりも小さな、幅を有し、ここで、該押さえフランジは好ましくは、少なくとも１つの中断ゾーンによって、好ましくは２つの中断ゾーンによって、中断されること、
好適には、該第１及び第２のスペーサは、使用中に患者の該皮膚を押すようにそれぞれ意図された第１及び第２の押さえフランジを有し、少なくとも、好ましくは各々の、押さえフランジは、０．５ｃｍよりも大きな、好ましくは０．８ｃｍよりも大きな、及び／又は２ｃｍよりも小さな、好ましくは１．５ｃｍよりも小さな、幅を示し、好ましくは実質的に平らであり、及び好ましくは、少なくとも１つの中断ゾーン、好ましくは２つの中断ゾーンによって、中断されること、
１つの、好ましくは各々の、押さえフランジは、該支持体の横断正中面との間に、１０°よりも大きく且つ３０°よりも小さな角度を作る全体的な平面に延在する開口を画定すること、
該ホルダ装置は、該押さえフランジから１ｍｍよりも大きく且つ８ｍｍよりも小さな高さで突出する装着ラグを備えていること、
該支持体は、スリーブ（３６）の２つの端部の各々に１つの上記押さえフランジを具備するスリーブを備えており、該支持体は好ましくは、横断正中面に対して対称であること、
該スリーブは、筒形状であり、好ましくは台形状横断面を有し、及び、該台形状横断面は、該ハンドルに対して反対方向に尖っていること、
好適には、各押さえフランジは、該スリーブから、好ましくは該それぞれのスリーブの一端部において、（該スリーブの軸を基準として）径方向外向きに延在すること、
該ハンドルは、該ホルダ装置が、１ｃｍよりも大きな直径を呈する水平バーから安定して吊るされることを可能とするように構成された少なくとも１つの窪みを画定すること、
該ハンドルは、スティックと、該スティックを該支持体に強固に接続するクロスピースとを備えており、該クロスピースは、該スティックを、該第１及び／又は第２のスペーサから、好ましくは該第１及び該第２のスペーサから、離間させるように設計されていること、
該クロスピースは、該スティックを、該第１及び第２のスペーサによってそれぞれ画定された第１及び第２の開口の軸から径方向に離間させるように構成されていること、
該クロスピースの軸は好ましくは、該第１及び第２のスペーサによって画定された該開口の該軸との間に、６０°、７０°、８０°、よりも大きな、及び／又は１２０°、１１０°、１００°、よりも小さな、好ましくはおよそ９０°、の角度を形成し、ここで、該クロスピースの該軸は好ましくは、上記開口の該軸と共平面であること、
該スティックと該支持体との間の最小距離は好ましくは２ｃｍよりも大きく、３ｃｍよりも大きく又は４ｃｍよりも大きいこと、
好適には、該クロスピースは、該支持体の面及び／又は該スティックの面に対して実質的に垂直であること、
該クロスピースは好ましくは、上記スリーブの該軸に対して実質的に垂直であること、
好適には、該クロスピースは、２ｃｍよりも大きな、３ｃｍよりも大きな、又は４ｃｍよりも大きな、長さを呈すること、
該ハンドルは、近位部及び遠位部で構成されたスティックと、該スティックを該支持体に強固に接続し、該スティックの該近位及び遠位部の間の接合部に接続されたクロスピースとを備えており、上記窪みは、一方で該クロスピースによって、及び該スティックの該近位及び遠位部によってそれぞれ形成される角部において作成されること、
該スティックは、該クロスピースに垂直な平面との間に、１０°よりも大きな角度を形成する全体的な方向に延在すること、
該ハンドルは、０．５ｃｍよりも大きな最小幅を呈する周辺フランジにより縁どりされたウェブで構成されていること、
該第１及び第２の押さえフランジは、該尿バッグを該第１及び第２の開位置にそれぞれ弾性的に保つように構成されていること。
【００１３】
本発明は、本発明に従うホルダ装置と、該第１及び第２の開位置のそれぞれにおいて該第１又は該第２のスペーサに固定されるように設計された尿バッグとを備えている尿装置にも関する。
【００１４】
最後に本発明は、ホルダ装置のスペーサに取り外し可能に初めに固定され、上記スペーサによって開位置に保持された尿バッグを梱包する方法に関する。とりわけ、該方法は、該尿バッグの使用後に、該バッグの内部を該外部環境から隔離するように該バッグが該ホルダ装置のノッチ内に収斂される、すなわち該ノッチ内に挿入される、ステップを含む。
【００１５】
本記載の残りの部分においてより詳細に分かるように、この方法は、使用後に、該バッグ内に収容された尿を迅速及び効果的に隔離することを可能とし、それによって不快な匂いが広がることを防止し、清潔さを促進する。
【００１６】
該ホルダ装置は好ましくは、本発明に従うホルダ装置である。
【００１７】
本発明に従う該方法は、以下の任意的な特徴のうちの１以上も有しうる：
該ノッチに挿入される前に、該ノッチに挿入されるべき該バッグの部分は好ましくは、それ自体が、好ましくは１回転よりも多く、好ましくは２回転よりも多く、捻られること、
該尿バッグが該ノッチ内に挿入されたとき、上記スペーサによって該開位置に保持されたままであること、
該ノッチに挿入された後、該ホルダ装置はベッドのバーから吊るされること。
【００１８】
定義
形容詞「上側」及び「下側」は、図１ｃ又は図３ｂにおいて、上向きに指し示す矢印Ｖによって示された上向き方向を指す。
【００１９】
「含む」（ｉｎｃｌｕｄｅ）、「備えている」（ｃｏｍｐｒｉｓｅ）、及び「呈する」（ｅｘｈｉｂｉｔ）は、他に指摘されていない限り、広範で且つ非限定的な意味で解釈されるべきである。
【００２０】
２つの軸の間の角度は、これらの軸に垂直な２つの平面の間の角度によって定められる。
【００２１】
本発明の更なる特徴及び利点は、以下の好ましい実施態様の詳細な記載を読み、図面を検討することから更に明らかになるであろう。
【図面の簡単な説明】
【００２２】
【図１ａ】図１ａは、本発明の１つの好ましい実施態様において、前から見られたホルダ装置を示す。
【図１ｂ】図１ｂは、本発明の１つの好ましい実施態様において、後ろから見られたホルダ装置を示す。
【図１ｃ】図１ｃは、本発明の１つの好ましい実施態様において、右から見られたホルダ装置を示す。
【図１ｄ】図１ｄは、本発明の１つの好ましい実施態様において、左から見られたホルダ装置を示す。
【図１ｅ】図１ｅは、本発明の１つの好ましい実施態様において、下から見られたホルダ装置を示す。
【図１ｆ】図１ｆは、本発明の１つの好ましい実施態様において、上から見られたホルダ装置を示す。
【図１ｇ】図１ｇは、本発明の１つの好ましい実施態様において、遠近法によって見られたホルダ装置を示す（図１ａから図１ｇは、総称して「図１」と称される）。
【図２ａ】図２ａは、第１の開位置を図１の該ホルダ装置とともに示す。
【図２ｂ】図２ｂは、第２の開位置を図１の該ホルダ装置とともに示す。
【図３ａ】図３ａは、図２ａにおいて示された該尿バッグの梱包を示す。
【図３ｂ】図３ｂは、図２ｂにおいて示された該尿バッグの梱包を示す。
【図４ａ】図４ａは、図２ａにおいて示された該尿バッグの該梱包の斜視図である。
【図５】図５は、本発明に従うホルダ装置を保管する１つの様式を示す。
【発明を実施するための形態】
【００２３】
装置
図１は、本発明に従うホルダ装置１０の一つの実施例を示す。この実施例を記載する為に使用される形容詞「近位」及び「遠位」は、ここ以前に及び特許請求の範囲において使用された形容詞「第１」及び「第２」に対応しうる。それらは、明瞭さの為に使用されている。
【００２４】
このホルダ装置は、非対称的なＴ字状の全体的形状を呈するハンドル１２と、軸Ｘの実質的に筒状の支持体１４とを備えている。
【００２５】
該ホルダ装置１０は好ましくは一体型であり、ここで、該支持体１４はハンドル１２と一体的に形成される。特には、該装置は、成形によって製造されうる。それ故に、該装置はハンドル１２と支持体１４とを一緒に結合する固定部材を有さず、そして、これは有利には製造をより容易にする。
【００２６】
該ハンドル１２は、操作者によって掴まれるように意図された該ハンドルの一部を有する軸Ｙのスティック１６を備えている。該スティックは、近位部１６ａ及び遠位部１６ｂで構成され、軸Ｚのクロスピース１８は、スティック１６を支持体１４に強固に接続し、且つスティック１６の近位部１６ａと遠位部１６ｂとの間の接合部に接続される。
【００２７】
好適には、該スティックの全体的な方向は、水平面との間に、１０°よりも大きな、好ましくは２０°よりも大きな、及び／又は５０°よりも小さな、好ましくは４０°よりも小さな、角度を形成し、ここで、およそ３０°の傾斜がよく適している。該ハンドル１２のこの傾斜は、該ホルダ装置のエルゴノミクスを向上させる。
【００２８】
好適には、図１ｃにおいて示されている通り、側方から見られたとき、該スティック１６は、僅かに上向きに屈曲している。該ハンドル１２のこの屈曲は、該ホルダ装置のエルゴノミクスを更に向上させる。
【００２９】
該近位部１６ａは、操作者、通常は患者、によって手に掴まれるように意図されている。該近位部１６ａは好ましくは、軸Ｚとの交差点から軸Ｙに沿って測定された、８ｃｍよりも大きな、好ましくは１０ｃｍよりも大きな、好ましくは１２ｃｍよりも大きな、及び／又は１８ｃｍも小さな、好ましくは１６ｃｍよりも小さな、好ましくは１４ｃｍよりも小さな、長さを示す。軸Ｙ及びＺの平面に垂直に測定された近位部１６ａの幅は好ましくは、１ｃｍよりも大きく、好ましくは１．５ｃｍよりも大きく、及び／又は好ましくは、３ｃｍよりも小さく、２ｃｍの幅がよく適している。
【００３０】
軸Ｚとの該交差点から軸Ｙに沿って測定された遠位部１６ｂの長さは好ましくは、３ｃｍよりも大きく、好ましくは４ｃｍよりも大きく、及び／又は好ましくは、８ｃｍも小さく、好ましくは６ｃｍよりも小さく、５ｃｍの長さがよく適している。該遠位部１６ｂの幅は好ましくは、該近位部１６ａの幅と同一である。
【００３１】
図３ａ及び図３ｂにそれぞれ示されている通り、クロスピース１８の各側に、好ましくはスティック１６へのクロスピース１８の接続の領域に、ハンドル１２は、水平バーＢ、とりわけベッドのバー、から該ホルダ装置を吊るすことに適した近位窪み２２ａ及び遠位窪み２２ｂを画定する。
【００３２】
好適には、該近位窪み及び該遠位窪みは、一方でクロスピース１８によって、及び該スティックの近位部１６ａ及び遠位部１６ｂによってそれぞれ形成される角部において作成される。この構成は、吊るされたときの安定性を向上させるだけでなく、該ホルダ装置をより良好に制御する為に該操作者が人差し指を該近位窪みに引っ掛けることができるので、把持の質も向上させる。
【００３３】
該近位窪み及び該遠位窪みは好ましくは、如何なる鋭い縁部も有さない丸められた形状を呈する。好適には、側方から見られたときに、それらは円の一部となる形状を呈し、好ましくは実質的に半円形状を示し、円の上記一部の半径は好ましくは、１ｃｍよりも大きく、及び／又は２．５ｃｍよりも小さく、好ましくは２ｃｍよりも小さい。
【００３４】
構造的には、該ハンドル１２は、好ましくは鉛直に、及び好ましくは中央に、延在する、長手方向ウェブ２４と、周辺フランジ２６とを備えており、好ましくはこれらで構成される。周辺フランジ２６は好ましくは、実質的に横断的に、すなわちハンドル１２の長手方向正中面Ｐｌに垂直に、及び、なおもより好ましくはこの平面について実質的に対称に、延在する。周辺フランジ２６は長手方向ウェブ２４を外側から包囲する。該構造のこの形態は、該ハンドルの剛性と消費される原材料の量との間の優れた折り合いを提供する。
【００３５】
更に好適には、該周辺フランジ２６の外側面２９は、スティック２６の近位端部２７ａと遠位端部２７ｂとの間に、如何なる起伏も有することなく延在する。それ故に、外側面２９は、触ると滑らかで、それ故に、特に快適である。
【００３６】
該周辺フランジの幅は好ましくは、スティック１６の全ての周りにおいて実質的に一定である。好適には、それは支持体１４に近づくにつれてクロスピース１８に沿って増加する（図１ａ）。該支持体に近くなるにつれて周辺フランジ２６が広がることは有利には、支持体１４とクロスピース１８との間の接続の剛性を強化し、該ホルダ装置をより使い易くする。
【００３７】
該周辺フランジ２６の最大幅は好ましくは、２．５ｃｍよりも大きく、好ましくは３ｃｍよりも大きく、及び／又は５ｃｍよりも小さく、好ましくは４ｃｍよりも小さい。
【００３８】
該周辺フランジ２６の最小幅は好ましくは、０．５ｃｍよりも大きく、好ましくは１ｃｍよりも大きく、好ましくは２ｃｍよりも大きい。
【００３９】
好適には、該ホルダ装置は、該支持体に固定された尿バッグを閉じる為の閉じ紐を弾性的に保持するように構成されたスロット３０を更に備えている。好適には、該スロット３０は、その開口部からその底部に向かって徐々に狭まり、なおもより好ましくは、Ｖ字状を呈する。
【００４０】
なおも好適には、該スロット３０は、該周辺フランジ２６において作成され、なおもより好ましくはクロスピース１８に属する周辺フランジ２６の一部において、形成される。
【００４１】
なおも好適には、該ホルダ装置は、２つ、３つ、又は４つ、のスロット３０を備えている。更に好適には、該スロット３０は、長手方向正中面Ｐｌに対して対称に配置され、及び／又は、該支持体の横断正中面Ｐｔに対して対称に配置され、及び／又は軸Ｘから等距離に配置される。
【００４２】
図２ａ及び図２ｂにおいてそれぞれ示されている通り、該支持体１２は、「近位」及び「遠位」とそれぞれ称される開位置に尿バッグを保持するように設計された近位スペーサ３２ａと遠位スペーサ３２ｂとを備えている。
【００４３】
該近位及び遠位開位置において、該バッグは、異なる向き、すなわち近位向きＤａ及び遠位向きＤｂ、にそれぞれ開口する。好適には、該近位向きＤａ及び遠位向きＤｂにそれぞれ垂直な２つの平面は、それらの間に、２０°よりも小さな、１０°よりも小さな、５°よりも小さな、１°よりも小さな、角度をそれぞれ作る。好適には、該図において描写された該実施態様におけるように、該近位及び遠位向きは平行であり、なおもより好ましくは、共線的である。
【００４４】
該スペーサの構造は、非限定的であり、該支持体に装着された尿バッグが開位置に保持されることを可能とする任意の手段が想定されることができる。特には、スペーサは、必ずしも該バッグの該開口の縁部に対してこの縁部の全体的長さに沿って押さえる形状に形成される必要はない。
【００４５】
該近位スペーサ３２ａ及び遠位スペーサ３２ｂは、同一であってもよく又は異なっていてもよい。好適には、描写された該実施態様におけるように、それらは同一であり、なおもより好ましくは、該支持体の横断正中面Ｐｔに対して対称であり、この場合においては、これは鉛直的であり、長手方向正中面Ｐｌに対して垂直である。
【００４６】
それ故に、本明細書において以下に、該近位スペーサだけが詳細に記載される。
【００４７】
近位スペーサ３２ａは、その近位縁部３７ａが近位開口４０ａを画定する軸Ｘのスリーブ３６と、上記近位縁部から、好ましくは実質的に径方向外向きに、延在する近位押さえフランジ３８ａとを備えている。
【００４８】
好適には、軸Ｘに沿ったスリーブ３６の最短長さは、１ｃｍよりも大きく、好ましくは１．５ｃｍよりも大きい。
【００４９】
近位開口４０ａの軸は、該スティックの軸に実質的に平行である。しかしながら、該スティックは、該スリーブから該クロスピースによって軸Ｘに対して径方向に離間される。
【００５０】
該近位及び遠位スペーサは、近位及び遠位開口をそれぞれ画定し、該クロスピースは、該スティックをこれらの開口の軸から径方向に離間するように構成され、これらの開口の該軸は好ましくは、軸Ｘに実質的に平行である。
【００５１】
この構成は、特に実際的である。更には、それは、該バッグが該近位スペーサ又は該遠位スペーサに装着されたときに該装置が使用されることを可能とする。該バッグが該近位スペーサ又は該遠位スペーサに装着されたとき、該スティックは、効果的に及び有利に、該近位押さえフランジ又は該遠位押さえフランジが該患者の皮膚に対してそれぞれ押し付けられることを可能とする。
【００５２】
スリーブ３６の内側面は、好ましくは滑らかであり、好ましくは軸Ｘの筒状であり、好適には、台形状横断面を有する。それ故に、該台形状断面は、幅広底辺３６１、右側辺３６２、小底辺３６３及び左側辺３６４を連続して呈する。大底辺３６１は好ましくは、実質的に水平である。好適には、それは、５ｃｍよりも大きな、好ましくは６ｃｍよりも大きな、及び／又は８ｃｍよりも小さな、好ましくは７ｃｍよりも小さな、長さを呈する。該右側及び左側辺の長さは、好ましくは８ｃｍよりも大きく、好ましくは８．５ｃｍよりも大きく、及び／又は１０ｃｍよりも小さい。最後に、該短底辺の長さは、好ましくは２ｃｍよりも大きく、好ましくは２．５ｃｍよりも大きく、及び／又は４ｃｍよりも小さく、好ましくは３．５ｃｍよりも小さい。もちろん、これらの寸法は非限定的であり、使用される該尿バッグに適するように適合される必要がある。
【００５３】
好適には、該大底辺３６１は、該小底辺の上方で、実質的に水平に延在する。それ故に、該台形状断面は下向きに尖っている。
【００５４】
台形状断面は、特にエルゴノミックであり、非常に異なる体格の患者によく適することが実証されている。
【００５５】
近位押さえフランジ３８ａは好ましくは、該スリーブの該近位縁部からスリーブ３６の外側面に実質的に垂直に延在するブレードの形態を呈する。近位押さえフランジ３８ａは、外側面、すなわち「押さえ面」３８ｅと、外側面３８ｅと反対側で、好ましくは外側面３８ｅに実質的に平行な、内側面３８ｉとを呈する（図１ｅ）。
【００５６】
押さえ面３８ｅは好ましくは実質的に平らであり、０．５ｃｍよりも大きな、好ましくは０．８ｃｍよりも大きな、及び／又は２ｃｍよりも小さな、好ましくは１．５ｃｍよりも小さな、好ましくは一定の、幅ｌ３８を好ましくは示し、１ｃｍの幅がよく適している。このような押さえ面は、該ホルダ装置を使用するときの快適さを著しく向上させる。実質的に平らな押さえフランジは、該装置が該皮膚に食い込む程度を限定する接触面を保証する機能を有する。とりわけ、それは、直線的な又は僅かに屈曲した輪郭を有しうるとともに、屈曲の半径は好ましくは１ｃｍよりも大きく、好ましくは２ｃｍよりも大きく、好ましくは３ｃｍよりも大きく、好ましくは５ｃｍよりも大きい。
【００５７】
近位押さえフランジ３８ａは好ましくは、スリーブ３６の該外側面との間に角度θを形成する。好適には、この角度は、９０°以上であり、好ましくは９５°よりも大きく、好ましくは１００°よりも大きく、好ましくは１１０°よりも大きく、及び／又は好ましくは１４０°よりも小さく、好ましくは１３０°よりも小さい。
【００５８】
１つの好ましい実施態様において、この角度は該近位押さえフランジに沿って変化する。好適には、それは、該横断面の該大底辺を定める該スリーブの該近位縁部の部分に沿って最大であり、該横断面の該小底辺を定める該スリーブの該近位縁部の部分に沿って最小である。好適には、角度θは、変化する場合であっても、常に９０°よりも大きく、好ましくは９５°よりも大きく、及び１２０°よりも小さく維持される。
【００５９】
しかしながら、代替例として、角度θは、実質的に一定でありうる。
【００６０】
好適には、近位スペーサ３２ａは、近位開口４０ａの平面Ｐａが、該支持体の横断正中面Ｐｔとの間に、１０°よりも大きな、好ましくは１５°よりも大きな、及び／又は３０°よりも小さな、好ましくは２５°よりも小さな、好ましくはおよそ２０°、の角度αを形成するように構成される。
【００６１】
好適には、近位押さえフランジ３８ａは、少なくとも１つの中断ゾーン４６によって、好ましくはいくつかの中断ゾーン４６によって、複数のセグメントになるように、局所的に中断されない。好適には、該ホルダ装置は、好ましくは長手方向正中面Ｐｌに対して対称に配置された、なおもより好ましくは、実質的にスリーブ３６の高さの途中まで配置された、少なくとも２つの中断ゾーン４６を備えている。近位押さえフランジ３８ａに沿って測定された中断ゾーンの長さは、好ましくは０．５ｃｍよりも大きく、好ましくは１ｃｍよりも大きく、及び／又は２．５ｃｍよりも小さく、好ましくは２ｃｍよりも小さく、およそ１．５ｃｍの長さがよく適している。
【００６２】
近位押さえフランジ３８ａの該中断は、近位押さえフランジ３８ａによって授けられる該スリーブの剛性強化の量を限定し、これは、該開位置に尿バッグを取り付けることをより容易にする。
【００６３】
好適には、少なくとも１つの中断ゾーン４６は、スリーブ３６において、ノッチ４８の形態で延在する。描写された該好ましい実施態様において、該装置は、近位押さえフランジ３８ａに沿って、ノッチ４８の形態で各々が延在する２つの中断ゾーン４６を備えている。
【００６４】
該ノッチ４８は、同一の形状又は異なる形状を有しうる。
【００６５】
各ノッチ４８は、スリーブ３６をより柔軟にし、尿バッグの取り付けをより容易にすることに寄与する。
【００６６】
更に好適には、該ノッチ４８の該形状は、バッグが該ノッチ内への横方向の挿入によってそこに装着されることができるように決定される。
【００６７】
好適には、本明細書において以下に記載されるように、該ノッチ４８は、好ましくは上向きに開口する、すなわち該ハンドルに向かって開口する、フック５０を示し、尿バッグの装着を可能とする。該フックの寸法は、図３において示されている通り、該尿バッグの上側部分がそれ自体が捻られた後にこの上側部分が一緒に挟まれることができるように決定される。換言すれば、該尿バッグの該上側部分は、横方向に及び強制的に該フックの該開口に導入され、次に、該フックに弾性圧縮によって保持されることができる。描写された該実施態様において、フック５０は、２ｍｍよりも大きな、好ましくは３ｍｍよりも大きな、及び／又は好ましくは８ｍｍよりも小さな、好ましくは６ｍｍよりも小さな、好ましくは５ｍｍよりも小さな、幅ｌ５０を有し、４ｍｍの幅がよく適している。好適には、フック５０の該幅は、実質的に一定である。フック５０は特には、１ｃｍよりも大きな、好ましくは１．５ｍよりも大きな、高さにわたって延在しうる。
【００６８】
該ノッチ４８は、中断ゾーン４６に対してフック５０の反対側においても延在しうる。
【００６９】
該近位スペーサは、好ましくは例えば三角形状に尖った、近位装着ラグ５２ａも備えている。近位装着ラグ５２ａは好ましくは、近位押さえフランジ３８ａの内側面３８ｉから突出する。それらは有利には、該近位スペーサへの該尿バッグの装着を向上させる。近位押さえフランジ３８ａの内側面３８ｉから測定した近位装着ラグ５２ａの高さは好ましくは、１ｍｍ、２ｍｍ、３ｍｍ、４ｍｍよりも大きく、及び／又は８ｍｍ、７ｍｍ又は６ｍｍよりも小さく、５ｍｍの高さがよく適している。
【００７０】
近位装着ラグ５２ａの数は非限定的である。特には、それは１つよりも多く及び／又は３つよりも少なくなりうる。描写された該好ましい実施態様において、該近位スペーサは、内側面３８ｉから突出して長手方向中央面Ｐｌにおいて整列される２つの近位装着ラグ５２ａを備えている。
【００７１】
該遠位スペーサは該近位スペーサと類似のものであり、スリーブ３６をそれらの間で共有する。
【００７２】
該支持体の横断正中面Ｐｔに対する近位開口４０ａの平面Ｐａの傾きによって、スリーブ３６は、側部から見たときに（図１ｄ）、台形状を呈し、該台形の大底辺及び短底辺は実質的に水平であり、該大底辺は該小底辺の上方にある。該大底辺は好ましくは、４ｃｍよりも大きな、好ましくは４．５ｃｍよりも大きな、及び／又は６ｃｍよりも小さな、好ましくは５．５ｃｍよりも小さな、長さを示し、５ｃｍの長さがよく適している。該短底辺は好ましくは、２ｃｍよりも大きな、及び／又は３ｃｍよりも小さな、好ましくは２．５ｃｍよりも小さな、長さを呈する。
【００７３】
このような形状は、特にエルゴノミックである。
【００７４】
好適には、好ましくは鉛直的な、少なくとも１つの横断リブ５６が、スリーブ３６の該外側面にわたって、好ましくは該支持体の横断正中面Ｐｔにおいて、延在する。描写された該実施態様において、該ホルダ装置は、該支持体の該横断正中面に対して対称に配置された２つのリブ５６を備え、その各々はノッチ４８に沿って延在する。リブ５６の形状及び寸法は、該支持体の所望の剛性に従って調節される。
【００７５】
更には、該リブ５６は、該尿バッグが該近位スペーサに取り付けられた後に該尿バッグの為の端部留め具として働き、それ故に、該尿バッグの固定の安定性に寄与する。
【００７６】
尿バッグ６０は慣用的に、ポリウレタンバッグであり、好ましくは不透明であり、その開口６２の該縁部は、尿バッグ６０が該開位置においてスペーサに固定された運用位置における開口６４を画定する。
【００７７】
好適には、該開口６２の該縁部は、慣用的には紐である閉じ紐６６がそれを通って導入されるケーシングを画定し、該ケーシングは、該閉じ紐６６が該操作者によって掴まれることができるように、局所的に中断される。
【００７８】
最後に、バッグ６０は好ましくは、描写されていない吸収パッドを含む。
【００７９】
向上されたエルゴノミクスの為に、尿バッグ６０は好ましくは、３０ｃｍよりも大きな、好ましくは３５ｃｍよりも大きな、長さと、平らに展開されたときに１４ｃｍよりも大きな、及び／又は１８ｃｍよりも小さな幅とを有する。好適には、該バッグの該長さは、平らに展開された幅よりも２倍大きい。
【００８０】
動作
該ホルダ装置の動作は、前述のことから直接的に明らかである。
【００８１】
最初に、本発明に従う該ホルダ装置は、図５に示されている通り、コンパクトに保管されうる。特には、１つのホルダ装置のスリーブ３６が、第２のホルダ装置のスティックの近位部及び第３のホルダ装置のスティックの遠位部を受け入れうる。該ホルダ装置の形状は有利には、特に効率的な保管を可能とする。
【００８２】
該ホルダ装置を機能させる為に、操作者は、尿バッグ６０を、その下側部を介して、スリーブ３６を通って導入する。考えられる実施例において、尿バッグ６０は、該遠位開口（図２ｂ）を介して導入されることが考えられる。次に、該操作者は、このバッグの開口縁部６２を近位押さえフランジ３８ａを覆うようにその周りで回転させる。この動作は、該バッグを開かせ、近位押さえフランジ３８ａ上で動かなくされるようにする。特には、該バッグの弾性が、及び該支持体の弾性も、この動作をより容易にし、次に、図２ｂにおいて示されている通り、該バッグのその開位置における分離と弾性的な保定とを保証する。この保定は、近位装着ラグ５２ａの働きによって更に向上され、これは、該支持体から該バッグを外してしまいがちな該バッグの任意の滑りを防止する。
【００８３】
次に、該閉じ紐６６がスロット３０のうちの１つに強制的に挿入され、これは、閉じ紐６６が該バッグの該開口に進入することを妨げる。
【００８４】
該ハンドルを介して該ホルダ装置を操作することによって、次に該操作者は、該患者が該バッグ内に排尿することができるように該バッグを位置付けることができる。特には、該操作者は、該近位押さえフランジが該患者の皮膚に接触するように該ホルダ装置を配置しうる。該近位押さえフランジの広い幅が、傷害のリスクを制限し、該ホルダ装置を特に快適にする。
【００８５】
もしも操作者が好むなら、該操作者は、該バッグを、遠位押さえフランジ３８ｂに、このバッグの開口縁部６２をこの押さえフランジの周りで折り畳むことによって代替的に装着しうる。次に、操作者は、該遠位押さえフランジが該患者の皮膚に接触するように該ホルダ装置を位置付けうる。該患者の皮膚に対する該ハンドルの位置は、該皮膚に接触するのが該近位押さえフランジであるか又は該遠位押さえフランジであるかに従って異なる。こうして、本発明に従う該装置は有利には、いくつかの可能な使用構成を提供する。
【００８６】
該パッドは、徐々に尿を吸収する。
【００８７】
次に、該操作者は、該バッグの内容物を外部環境から隔離するように、該バッグを例えば３回転よりも多く捻ることによって、該バッグを閉じる。該バッグの該内容物を隔離するこのようなやり方は有利には、非常に単純であり、完璧な封止を提供する。これは、該閉じ紐を任意的なものにする。
【００８８】
図３ｂにおいて示されている通り、該近位スペーサから該バッグを切り離すことなく、該操作者は、該バッグの捻られた部分７０を該遠位スペーサのフック５０のうちの１つの中に導入する。有利には、該フックは、該バッグを該捻られた位置に保つ（図３ｂ）。
【００８９】
次に、該操作者は、該バッグと該ホルダ装置とから成る該尿装置を、図３ｂにおいて示されている通り、例えばバーＢに吊るすことができ、該バーＢは好ましくは１ｃｍ〜３ｃｍの直径を呈する。該尿装置は、該近位窪み又は該遠位窪みを該バーに対してもたせかけることによって吊るされることができる。
【００９０】
好適には、安定性を向上させるので、それは該バーから該遠位窪みを介して吊るされる（図３ｂ）。好適には、該尿装置が、該遠位窪みから該バーＢに吊るすこの吊り下げ位置にあるとき、図３ｂにおいて示されている通り、該遠位窪みは、使用された該尿バッグが収斂された該支持体のフック５０の実質的に鉛直的上方に延在する。
【００９１】
該尿装置は、それぞれのバーを押すこれら２つの窪みから吊り下げられることもできる。
【００９２】
該尿装置は、操作者によっていつでも回収されうるとともに、この操作者は該バッグを該支持体に固定した操作者とは異なりうる。次に、該バッグは、該ホルダ装置から切り離されることができる。これを行う為に、該操作者は、該バッグの開口縁部６２を該スリーブの内部に向かって戻す為に該バッグを引張り、次に、それをスリーブ３６から抜き取る。
【００９３】
適切であれば、該介護者は、近位装着ラグ５２ａがこの切り離しを妨害すること防止する為に該バッグを該近位装着ラグ５２ａから離間して保持する。
【００９４】
次に、該バッグは、閉じ紐６６によって閉じられることができる。これを行う為に、該操作者は、この紐を該バッグに保持しながら引張り、これは、該バッグの該開口縁部を該バッグが閉じられるまで締め付ける。最後に、該バッグは廃棄されることができる。
【００９５】
今やはっきりと明らかである通り、本発明は、単純で、効果的で、実際的で、且つ環境的に健全な解決策を提供する。
【００９６】
その上、該操作者は、このバッグを本明細書において上に記載されているように該近位スペーサに固定するか、又は該遠位スペーサに固定するか（図２ａ）を決めることによって、該ハンドルに対する該バッグの相対的配置を選ぶことができる。それ故に、該ホルダ装置は特に多機能である。
【００９７】
もちろん、本発明は、記載され、描写された該実施態様に限られるものではなく、該実施態様は単に例示を目的として与えられたものである。
【００９８】
特には、該バッグを該開位置に保持する為の他の手段が可能である。例えば、該バッグは、複数の装着ラグ又は複数のフックによって該開位置に保たれることができる。
【００９９】
該スリーブ、該押さえフランジ、及び該ハンドルの特にエルゴノミックな形態も、限定的なものではない。
【図１ａ】
2021522041.tif 000003
【図１ｂ】
2021522041.tif 000004
【図１ｃ】
2021522041.tif 000005
【図１ｄ】
2021522041.tif 000006
【図１ｅ】
2021522041.tif 000007
【図１ｆ】
2021522041.tif 000008
【図１ｇ】
2021522041.tif 000009
【図２ａ】
2021522041.tif 000010
【図２ｂ】
2021522041.tif 000011
【図３ａ】
2021522041.tif 000012
【図３ｂ】
2021522041.tif 000013
【図４ａ】
2021522041.tif 000014
【図５】
2021522041.tif 000015
【国際調査報告】
2021522041.tif 000016
2021522041.tif 000017
2021522041.tif 000018
2021522041.tif 000019
2021522041.tif 000020